(57)【要約】【課題】導光板に対して光学フィルムを容易に位置決め可能とし、かつ、組み立て後においても光学フィルムの有無やずれなどを視認により検査可能とする。【解決手段】周囲が側枠２２で囲まれたパネル載置面２６を有するパネル収納部２３と、パネル載置面の一部に開口された光出射用開口部２５を有するバックライト収納部２４とを備えているホルダ２０内に、液晶パネルＰと光学フィルム１１を含むバックライト１０とを組み込んでなる液晶表示装置において、パネル収納部２３に光出射用開口部２５の内縁からパネル載置面２６および側枠２２の内面を経て同側枠の上端に至る横溝と縦溝とを含む所定深さのフィルム位置決め溝３０を一連に形成するとともに、光学フィルム１１に横溝内に嵌合し、かつ、縦溝内にまで延びる長さの位置決め突片１１１を一体に連設する。【選択図】  図１
2004354796.tif 000002
【特許請求の範囲】
【請求項１】
液晶パネルと、導光板およびその光出射面側に積層される光学フィルムを含み上記液晶パネルの裏面側に配置されるバックライトと、上記液晶パネルが収納されるパネル収納部および上記バックライトが収納されるバックライト収納部を有するホルダとを備え、上記パネル収納部が上記バックライトの光出射用開口部を有するパネル載置面と、上記パネル載置面を囲む側枠とにより形成されている液晶表示装置において、
上記パネル収納部には、上記光出射用開口部の内縁から上記パネル載置面および上記側枠の内面を経て同側枠の上端に至る所定深さのフィルム位置決め溝が一連に形成されており、上記光学フィルムには、上記フィルム位置決め溝に含まれる上記パネル載置面側の横溝内に嵌合し、かつ、上記フィルム位置決め溝に含まれる上記側枠の内面側の縦溝内にまで延びる長さの位置決め突片が一体に連設されていることを特徴とする液晶表示装置。
【請求項２】
上記フィルム位置決め溝が、上記側枠の２辺の非対称位置に設けられている請求項１に記載の液晶表示装置。
【発明の詳細な説明】
【０００１】
【発明の属する技術分野】
本発明は、バックライトを有する液晶表示装置に関し、さらに詳しく言えば、液晶パネルに対するバックライトの照射効率を向上させる光学フィルムの位置決め技術に関する。
【０００２】
【従来の技術】
透過型もしくは半透過型の液晶表示素子は、その背面側（反観察面側）にバックライトを備えている。バックライトにはサイドライト型と直下型とがあるが、サイドライト型は直下型に比べて薄型であるため、特に携帯電話用などの液晶表示素子に好ましく採用されている。
【０００３】
バックライト付きの機種においては、消費電力の大半がバックライトの光源で消費されることから、低消費電力化要請のもと、光源からの光を効率的に液晶パネルに照射するため、バックライトにも様々な対策が講じられている。
【０００４】
その一例として、導光板の光出射面側には光拡散フィルムが配置されるが、その光拡散フィルム上に集光フィルムや輝度上昇フィルムなどの所定の光学特性を有する光学フィルムを組み合わせて積層して、光源からの光をより有効に液晶パネルに照射することが行われている。
【０００５】
このような従来の液晶表示装置の一例について、図５の断面図および図６の平面図により説明する。この液晶表示装置は、液晶パネルＰと、液晶パネルＰの背面側に配置されるバックライト１０とを合成樹脂製のホルダ２０内に収納してなる。なお、バックライト１０には、導光板１２とその上面（光出射面）側に配設される光学フィルム積層体１１とが含まれている。
【０００６】
パネルホルダ２０は、互いに連通するように形成されたパネル収納部２３とバックライト収納部２４とを同一筐体内に備えている。この例では、バックライト収納部２４の底面は底板２１によって塞がれているが、バックライト収納部２４の底面が開放されている機種もある。
【０００７】
パネル収納部２３は、バックライト収納部２４よりも大きく形成されたパネル載置面２６を備えており、パネル載置面２６には、バックライト１０の光出射用開口部２５が開口されている。この光出射用開口部２５は、液晶パネルＰの表示部に対応した大きさである。パネル載置面２６の周囲は側枠２２によって囲まれている。
【０００８】
導光板１２は例えばアクリル樹脂からなり、その所定の側面を光入射面として図示しない光源からの光が導光板１２内に照射される。その光源としては、例えばチップ型発光ダイオードが採用され、図示しないが、パネルホルダ２０にはその光源収納部が設けられている。また図示しないが、導光板１２の底面には反射シートが配置される。
【０００９】
光学フィルム積層体１１には、例えば光拡散フィルム１１ａと、ポリエステルやポリカーボネートなどの樹脂板からなる輝度上昇用などのプリズムフィルム１１ｂ，１１ｃとが含まれており、これらによって液晶表示パネルＰに対する照明光が適宜調整される。
【００１０】
ところで、プリズムフィルム１１ｂ，１１ｃのような集光効率や輝度効率を向上させる光学フィルムは、多くの場合、所定方向の光学軸を有しているため、あらかじめ定められた光学軸に応じた向きで積層する必要がある。
【００１１】
しかしながら、この種の光学フィルム１１ｂ，１１ｃは、その殆どが透明であるため、その表裏や光学軸を見分けることは難しい。そのため、表裏や光学軸を取り違えたりすることがあり、所期の効果を得られないばかりでなく、かえって照射効率を低下させてしまうという問題があった。
【００１２】
そこで、上記間違えを防止するために、従来では、図６（ａ）に示すように、光学フィルム積層体１１に含まれる各フィルムの両側縁の非対称位置に位置決め突片１１１を形成し、その向きを確認して導光板１２上に配置するようにしている。また、パネル載置面２６側に、位置決め突片１１１に対応する位置決め凹部２７を形成し、これによって光学フィルム積層体１１の位置決めを行うようにしている。
【００１３】
【発明が解決しようとする課題】
上記従来例における位置決め凹部２７は、その内部で位置決め突片１１１がガタ付かないようにするため位置決め突片１１１とほぼ同じ大きさで、かつ、その深さは光学フィルム積層体１１の全体厚みとほぼ同じで約０．３ｍｍ程度であるため入れづらい。
【００１４】
そのため、各フィルムをピンセットなどで摘んで、その位置決め突片１１１を位置決め凹部２７内に落とし込むようにしているが、この作業には時間がかかるため生産性の面で好ましくない。
【００１５】
このようにして、光学フィルム積層体１１を導光板１２上に配置した後、その上に液晶パネルＰが配置されるのであるが、その際、液晶パネルＰの固定とバックライト１０からの光漏れ防止とを兼ねて、図６（ｂ）に示すように、パネル載置面２６の全面にわたって、上記光出射用開口部２５に対応する開口部１３１を有する両面粘着シートからなる黒色の遮光シート１３が貼り付けられ、その上に液晶パネルＰが置かれる。
【００１６】
したがって、遮光シート１３を貼り付けてその上に液晶パネルＰを固定した状態になると、光学フィルムの位置決め突片１１１がそれらによって隠されてしまうため、光学フィルム積層体１１の配設状態、すなわち入れ忘れがないかどうかなどを確認することができない。
【００１７】
この点を解消するには、位置決め突片１１１の一部分が外部から視認できるように遮光シート１３の外形を小さくすればよいのであるが、このようにすると、その分液晶パネルＰの固定力が低下するため好ましくない。
【００１８】
したがって、本発明の課題は、バックライトの液晶パネルに対する照射効率を向上させる光学フィルム積層体の正確な位置決め作業を容易に行うことができるとともに、組み立て後においても光学フィルム積層体の有無などを外部から容易に視認できるようにすることにある。
【００１９】
【課題を解決するための手段】
上記課題を解決するため、本発明は、液晶パネルと、導光板およびその光出射面側に積層される光学フィルムを含み上記液晶パネルの裏面側に配置されるバックライトと、上記液晶パネルが収納されるパネル収納部および上記バックライトが収納されるバックライト収納部を有するホルダとを備え、上記パネル収納部が上記バックライトの光出射用開口部を有するパネル載置面と、上記パネル載置面を囲む側枠とにより形成されている液晶表示装置において、上記パネル収納部には、上記光出射用開口部の内縁から上記パネル載置面および上記側枠の内面を経て同側枠の上端に至る所定深さのフィルム位置決め溝が一連に形成されており、上記光学フィルムには、上記フィルム位置決め溝に含まれる上記パネル載置面側の横溝内に嵌合し、かつ、上記フィルム位置決め溝に含まれる上記側枠の内面側の縦溝内にまで延びる長さの位置決め突片が一体に連設されていることを特徴としている。
【００２０】
これによれば、位置決め突片の端部を縦溝に嵌合させ、その位置決め突片を縦溝に沿って横溝内に落とし込むことにより、各光学フィルムを導光板上に適切に配置することができる。また、縦溝を通して位置決め突片の端部を観察することができるため、遮光シートや液晶パネルを組み込んだ後においても、光学フィルムの入れ忘れなども検査することができる。なお、光学フィルムの表裏反転を防止するうえで、上記フィルム位置決め溝は上記側枠の２辺の非対称位置に設けられていることが好ましい。
【００２１】
【発明の実施の形態】
次に、図１ないし図４により、本発明の実施形態について説明する。図１は本発明の液晶表示装置の全体を模式的に示す分解斜視図、図２（ａ）（ｂ）は液晶パネルを装着する前のパネルホルダを示す平面図である。なお、この実施形態の説明において、先に説明した従来技術と同一もしくは同一と見なせる構成要素には同じ参照符号を付している。
【００２２】
この液晶表示装置においても、液晶パネルＰは透過型もしくは反射／半透過型型であるため、その裏面側に配置されるバックライト１０とともにパネルホルダ２０内において一体的に組み立てられる。なお、バックライト１０は導光板１２とその光出射面側に積層される光学フィルム積層体１１とを備えているが、この例において、光学フィルム積層体１１には光拡散フィルム１１ａ，第１プリズムフィルム１１ｂおよび第２プリズムフィルム１１ｃの３枚の光学フィルムが含まれている。
【００２３】
パネルホルダ２０は、上記従来例と同様に、パネル収納部２３とバックライト収納部２４とを備えている。なお、バックライト収納部２４の底面は底板２１によって塞がれていてもよいし、開放状態であってもよいが、いずれの場合においても、導光板１２の底面には、図示しない光反射シートが設けられることが好ましい。
【００２４】
パネル収納部２３は、液晶パネルＰの表示部および端子部を含むパネル全体を支持するパネル載置面２６を備え、パネル載置面２６の周囲は側枠２２によって囲まれている。これに対して、バックライト収納部２４は液晶パネルＰの表示部に対応する大きさであって、その光出射用開口部２５が上記パネル載置面２６内に開口されている。
【００２５】
なお、液晶パネルＰの端子部には、ＣＯＦやＴＣＰなどのフレキシブル基板を介して液晶駆動用の制御回路基板（ともに図示しない）が接続されるため、パネルホルダ２０の所定の側枠２２には、そのフレキシブル基板を引き出すための切欠き部２８が設けられている。また図示しないが、バックライト収納部２４側には導光板１２に光を照射するチップ型ＬＥＤなどの光源を収納する光源収納部が設けられている。
【００２６】
光学フィルム積層体１１の各フィルム１１ａ，１１ｂ，１１ｃは、パネル載置面２６に開口されている光出射用開口部２５内に嵌合する大きさに形成されているが、各フィルム１１ａ，１１ｂ，１１ｃの両側縁には、外方に突出する位置決め突片１１１が一体的に連設されている。この場合、位置決め突片１１１の幅は任意に決められてよいが、長さについてはパネル載置面２６からはみ出すが側枠２２の外側には突きでない範囲内の長さに設定される。
【００２７】
これに対して、パネル収納部２３には、位置決め突片１１１と対応する箇所にフィルム位置決め溝３０が設けられている。このフィルム位置決め溝３０は、図３に示すように、光出射用開口部２５の内縁からパネル載置面２６および側枠２２の内面２２ａを経て同側枠２２の上端２２ｂに至るように一連に形成されている。
【００２８】
すなわち、このフィルム位置決め溝３０には、パネル載置面２６側の横溝３０１と、側枠２２の内面２２ａ側の縦溝３０２とが含まれている。横溝３０１と縦溝３０２は同一幅であるが、深さについては異なっていてもよい。すなわち、この例において、横溝３０１は少なくとも３枚のフィルム１１ａ，１１ｂ，１１ｃを含む光学フィルム積層体１１の積層厚さ以上の深さが必要であるが、縦溝３０２の深さは位置決め突片１１１の長さに応じて選択されてよい。
【００２９】
組み立てにあたっては、一例としてバックライト収納部２４の底部に図示しない光反射シートを配置するとともに、その上に導光板１２を配置したのち、導光板１２の上面（光出射面）に３枚のフィルム１１ａ，１１ｂ，１１ｃを順次積層するのであるが、その際、図２（ａ）に示すように、位置決め突片１１１の端部１１１ａを縦溝３０２に位置合わせして、その上端２２ｂ側から落とし込むだけで、位置決め突片１１１を横溝３０１内に確実に導き入れることができる。
【００３０】
このようにして、３枚のフィルム１１ａ，１１ｂ，１１ｃを積層した後、図２（ｂ）に示すように、その光学フィルム積層体１１の上に上記光出射用開口部２５に対応する開口部１３１を有する両面粘着シートからなる黒色の遮光シート１３を貼り付けて、その上に液晶パネルＰを載置して固定する。
【００３１】
これにより、光学フィルム積層体１１のほとんどの部分が遮光シート１３および液晶パネルＰによって隠されることになるが、図４に示すように、位置決め突片１１１の端部１１１ａが縦溝３０２内に入り込んでいるため、縦溝３０２内を観察することにより、組み立て後においても光学フィルムの有無やずれなどを容易に検査することができる。
【００３２】
位置決め突片１１１は、各光学フィルムの片側一箇所のみに設けられてもよいが、表裏を取り違えないようにするため、例えば対向する２辺で非対称位置に設けられることが好ましい。場合によっては、位置決め突片１１１を３個以上としてもよい。なお、光拡散フィルム１１ａは特定の光軸を持たないため、位置決め突片１１１を設けるか設けないかは任意である。
【００３３】
また、上記実施形態において、位置決め突片１１１の形状は四角形状とされているが、特にこれに限定されるものではなく、例えば三角形状やその他の凸形状など適宜に選択することができる。また、光学フィルム積層体に含まれる光学フィルムの枚数，材質などにも特に制限はない。導光板１２上に積層される光学フィルムが１枚の場合でも本発明を適用することができる。さらに言えば、本発明はサイドライト型のみでなく、直下型のバックライトを有する液晶表示素子にも適用可能である。
【００３４】
【発明の効果】
以上説明したように、本発明によれば、周囲が側枠で囲まれたパネル載置面を有するパネル収納部と、上記パネル載置面の一部に開口された光出射用開口部を有するバックライト収納部とを備えているホルダ内に、液晶パネルと光学フィルムを含むバックライトとを組み込んでなる液晶表示装置において、上記パネル収納部に上記光出射用開口部の内縁から上記パネル載置面および上記側枠の内面を経て同側枠の上端に至る横溝と縦溝とを含む所定深さのフィルム位置決め溝を一連に形成するとともに、上記光学フィルムに上記横溝内に嵌合し、かつ、上記縦溝内にまで延びる長さの位置決め突片を一体に連設したことにより、上記光学フィルムを導光板上の適正位置に容易に配置できるとともに、組み立て後においても光学フィルムの有無やそのずれなどを外部から容易に視認により検査することができるという効果が奏される。
【図面の簡単な説明】
【図１】本発明による液晶表示装置の全体構成を分解して模式的に示す斜視図。
【図２】（ａ）本発明に係るホルダに光学フィルムを配置した例を示す平面図、（ｂ）同ホルダに遮光シートを配置した例を示す平面図。
【図３】本発明に係るフィルム位置決め溝を示す拡大斜視図。
【図４】本発明の要部を示す拡大平面図。
【図５】従来の液晶表示装置を概略的に示す断面図。
【図６】（ａ）従来のホルダに光学フィルムを配置した例を示す平面図、（ｂ）同ホルダに遮光シートを配置した例を示す平面図。
【符号の説明】
１０  バックライト
１１  光学フィルム積層体
１１ａ〜１１ｃ  光学フィルム
１１１  位置決め突片
１１１ａ  端部
１２  導光板
１３  遮光シート
１３１  開口部
２０  パネルホルダ
２２  側枠
２３  パネル収納部
２４  バックライト収納部
２５  光出射用開口部
２６  パネル載置面
３０  フィルム位置決め溝
３０１  横溝
３０２  縦溝
Ｐ  液晶パネル
【図１】
2004354796.tif 000003
【図２】
2004354796.tif 000004
【図３】
2004354796.tif 000005
【図４】
2004354796.tif 000006
【図５】
2004354796.tif 000007
【図６】
2004354796.tif 000008